(57)【要約】【課題】気密性の良好なシート型防火または防煙用シャッターを提供する。【解決手段】シャッターシート３０昇降用対向案内レール１０，１１は、横断面略Ｕ字状周壁の両端縁から周壁内側に向けＶ字状に延出する対向傾斜壁１７，１７を有し且つその谷部には全長に亘る開口部１８を有する形状とし、シャッターシート３０は、シート体３１の左右両端縁に沿って表裏に帯状部材３３を配置し、そのシート体端縁側をシート体３１端縁に密着して構成し、シャッターシート３０を案内レール１０，１１内の空間１６，１６に左右端縁３２，３２を挿入し、各帯状部材３３のシート体３１に対面する面を各対向傾斜壁１７裏面にそれぞれ当接させ昇降可能に支持する。両端前後に前記案内レールの各対向傾斜壁１７に係合する鉤状部２１ａをそれぞれ有するウエイト部材２０をシャッターシート３０下端に取り付ける。ウエイト部材２０には蛇腹状の下端シール部材６０を設ける。【選択図】　　　　図１
2004108018.tif 000002
【特許請求の範囲】
【請求項１】
壁の出入り口または通路の左右両側の壁端にほぼ垂直に設けた１対の対向案内レールと、該案内レールの互いの対向面に形成された開口に沿って昇降可能に支持された耐熱材料からなるシャッターシートとを備えたシャッターであって、前記対向案内レールは、その水平断面にて、略Ｕ字状の周壁と、該周壁の両端縁から周壁内部に向けＶ字状に延出する対向傾斜壁と、該対向傾斜壁の谷部に長手方向に沿って全長に亘って形成された開口部とを有し、且つ内部が中空の空間をなす柱状部材からなり、一方、前記シャッターシートは、可撓性材料からなるシート体の左右両端縁に沿って該シート体の表裏を挟む様に帯状部材を配置し、該帯状部材のシート体端縁側をそれぞれシート体に密着して形成され、該シャッターシートを、前記案内レールの開口部を介し案内レール内部の空間に左右両端を挿入し、前記帯状部材のシート体に対面する各面を前記対向傾斜壁の各裏面にそれぞれ当接させ、開口部に沿って昇降可能に支持してなる防火または防煙用シャッター。
【請求項２】
シャッターシートの下端側に下端が水平なウエイト部材を密着するとともに、該ウエイト部材は、その両端部前後に案内レールの対向傾斜壁の裏面の傾斜に沿う方向の鉤状曲折部をそれぞれ形成し、該鉤状曲折部にシャッターシート両端縁表裏の帯状部材をそれぞれ連結し、該鉤状曲折部が案内レールの対向傾斜壁の開口端にそれぞれ係合して案内レール内を昇降可能に支持してなる、請求項１に記載の防火または防煙用シャッター。
【請求項３】
壁の出入り口または通路の左右両側の壁端にほぼ垂直に設けた１対の対向案内レールと、該案内レールの互いの対向面に形成された開口に沿って昇降可能に支持された耐熱材料からなるシャッターシートとを備えたシャッターであって、前記シャッターシートの下端側には、下端が水平なウエイト部材を密着するとともに、前記左右案内レールの内側面間とほぼ同幅の可撓性膜体を表裏に交互に所定幅で曲折させ且つ前記シャッターシートの表裏各側から見てそれぞれ少なくとも各１つ以上の山折り部と谷折り部とを有する形態の下端シール部材を形成し、該下端シール部材の山折り谷折りが前記シャッターシートの表裏に向く方向でその一端側を前記ウエイト部材の下端に沿って密接支持してなる防火または防煙用シャッター。
【発明の詳細な説明】
【０００１】
【発明の属する技術分野】
本発明は、防火または防煙シャッターの技術に係わり、更に詳しくは、壁の出入り口または通路の左右両側の壁端に設けられた１対の対向案内レールに沿ってシャッターシートが昇降するシャッターの案内レールとシャッターシートとの隙間または床面との隙間からの煙やガスの漏洩を防止する手段を備えた防火または防煙用シャッターに関するものである。
【０００２】
【従来の技術】
壁の出入り口または通路の左右両側の壁端に設けられた１対の対向案内レールに沿ってシャッターシートが昇降する形態のシート型防火シャッターの火炎や煙などを遮断する構造に関しては、従来の防火シャッターでは、案内レールが内部に鉛直方向に沿って空間を有し且つ互いの対向面側には全長に亘るスリット状の開口部を形成する形態の柱状部材からなる一方、シャッターシートは、前記案内レールの開口からの抜け出しを規制するため、その左右端縁に例えばロープ状などの係止部材を連続的に設け、該左右両端縁の係止部材が前記案内レールの内部空間に沿って昇降可能なるようにシャッターシートを案内レールに支持する形態のものがある（例えば、特許文献１参照。）。この例に示される防火シャッターの場合、シャッターシートを天井裏などに設置された昇降装置の巻取ローラーに巻き取る際に、シャッターシート両端縁部の係止部材が巻取ローラーの両端で重なり合って巻き取られて極端な巻き太りを生じたり、或いは下層に落ち込んで乱れを生じ、整然と巻取収納ができずスムーズに昇降が行えないといった不具合があるのみならず、巻取ローラー設置のため大きなスペースが必要である。また、シャッターシートの案内レールへの支持部のシール機能が不十分で、煙やガスが案内レールの開口部から内部空間に侵入し、シャッターシート端縁部の係止部材と案内レール内壁との隙間を迂回して再び案内レールの開口部を通って避難路側に漏れ出す危険がある。更に、シャッターのシャッターシート下端と床面との間に機能上または設置上の誤差などによる僅かな隙間から煙やガスが避難路側に漏れ出す危険があった。
【０００３】
また、シャッターシート両端縁部に外側一半分が層状に一体重合されて、内側に開放状の係合部を形成する補助シートを設ける一方、ガイドレールの補助シートと対向する一側面に、揺動自在な蝶番の翼片が係合部に没入する抜け防止体を設けたものもある（例えば、実用新案文献１参照。）。この例に示されたシャッターの場合は、補助シートによる翼片との係合部がシャッターシートの片面だけに設けられ且つ翼片が揺動するため、翼片の安定性および翼片と補助シートとの密接性に問題があり、風圧が無いときは隙間が大きく、蝶番支軸部の隙間や翼片と補助シートとの隙間から煙やガスが漏洩する可能性があるのみならず、レール全長に亘る長尺の蝶番を案内レール内において翼片が円滑に回転するように取り付けることは難しくコストがかかり、且つ長期間放置すると蝶番が円滑に動かなくなりシール機能が正常に作動しなくなることもある。
【０００４】
【特許文献１】
特開２００１　１４０５５９号公報（第９頁、図３，図４）
【実用新案文献１】
実開昭６３　１８４９９０号公報（第１０頁、第２図）
【０００５】
【発明が解決しようとする課題】
前述の状況に鑑み本発明が解決しようとするところは、壁の出入り口または通路の左右両側の壁端にほぼ垂直に設けた１対の対向案内レールと、該案内レールの互いの対向面に形成された開口に沿って昇降可能に支持された耐熱材料からなるシャッターシートとを備えた防火または防煙用シャッターにおいて、長期間不使用のまま放置しておいても使用時には煙やガスが案内レール内の空間を迂回して避難路側に漏れ出す危険が極めて少なく、且つ、シャッターシートを昇降装置の巻取ローラーに整然と且つコンパクトに巻取収納ができて、スムーズに昇降が行え、且つ巻取ローラー設置のための大きなスペースを必要とせず、しかも簡単且つ低価格で製作可能な防火または防煙用シャッターを提供する点にある。そして本発明が解決しようとする他の課題は、シャッターシート下端と床面との間に生ずる機能上または設置上の誤差などに起因する僅かな隙間を確実に塞ぎ、この隙間から煙やガスの避難路側への漏れ出しを防止するうえで最適なシール構造を備えた防火または防煙用シャッター提供する点にある。
【０００６】
【課題を解決するための手段】
前述の課題解決のため、本発明のシート型の防火または防煙用シャッターは、壁の出入り口または通路の左右両側の壁端にほぼ垂直に設けた１対の対向案内レールと、該案内レールの互いの対向面に形成された開口に沿って昇降可能に支持された耐熱材料からなるシャッターシートとを備えたシャッターであって、前記対向案内レールは、その水平断面にて、略Ｕ字状の周壁と、該周壁の両端縁から周壁内部に向けＶ字状に延出する対向傾斜壁と、該対向傾斜壁の谷部に長手方向に沿って全長に亘って形成された開口部とを有し、且つ内部が中空の空間をなす柱状部材からなり、一方、前記シャッターシートは、可撓性材料からなるシート体の左右両端縁に沿って該シート体の表裏を挟む様に帯状部材を配置し、該帯状部材のシート体端縁側をそれぞれシート体に密着して形成され、該シャッターシートを、前記案内レールの開口部を介し案内レール内部の空間に左右両端を挿入し、前記帯状部材のシート体に対面する各面を前記対向傾斜壁の各裏面にそれぞれ当接させ、開口部に沿って昇降可能に支持して構成する。
【０００７】
上記手段により、シャッターシート端縁の帯状部材のシート体に対面する面が案内レール対向壁面の裏面に接してシール機構を構成し、また、帯状部材のシート体端縁側密着部が対向傾斜壁の端縁に引っ掛かってシャッターシートが案内レールからの抜け出しを防止し、そしてシャッターシートの案内レール内における係止構造が両端縁部に帯状部材を両面から密着しただけの薄型構造のため、巻取ローラーに整然と且つコンパクトに巻取収納でき、スムーズに昇降させることができる。また案内レールも、蝶番のない簡単な構造で低価格で製作可能である。
【０００８】
或いは、シャッターシートの下端側に下端が水平なウエイト部材を密着するとともに、該ウエイト部材は、その両端部前後に案内レールの対向傾斜壁の裏面の傾斜に沿う方向の鉤状曲折部をそれぞれ形成し、該鉤状曲折部にシャッターシート両端縁表裏の帯状部材をそれぞれ連結し、該鉤状曲折部が案内レールの対向傾斜壁の開口端にそれぞれ係合して案内レール内を昇降可能に支持すると更に好都合である。これによって、ウエイト部材両端の鉤状部が帯状部材の端部を案内レールの対向傾斜壁裏面に確実に先導案内しつつその自重でシャッターシートをスムーズに降下させることができ、風圧を受けても容易外れないように支持する。
【０００９】
また、前記のように壁の出入り口または通路の左右両側の壁端にほぼ垂直に設けた１対の対向案内レールと、該案内レールの互いの対向面に形成された開口に沿って昇降する耐熱材料からなるシャッターシートとを備えた防火または防煙用シャッターの床面とシャッター下端との隙間からの煙やガスの漏洩を規制する手段は、シャッターシートの下端側に下端が水平なウエイト部材を密着するとともに、前記左右案内レールの内側面間とほぼ同幅の可撓性膜体を表裏に交互に所定幅で曲折させ且つ前記シャッターシートの表裏各側から見てそれぞれ少なくとも各１つ以上の山折り部と谷折り部とを有する形態の下端シール部材を形成し、該下端シール部材の山折り谷折りが前記シャッターシートの表裏に向く方向でその一端側を前記ウエイト部材の下端に沿って密接支持し、前記シャッターシートの下降時に前記下端シール部材の他端が床面に接するとともに、前記ウエイト部材の自重で床面からの浮き上がりが規制される様に構成する。このウエイト部材下面に取り付けた下端シール部材が、風圧を受けた際でもシャッターの下端と床面との隙間を確実に塞ぐことができる。
【００１０】
なお、本明細書においては、内側とは通路の中心側に面した側を指し、外側とは左右の側壁に面した側を指し、シャッターの前面、表側、または前側、或いは前方とはシャッターの火災区域と反対の側面または避難路の方向を指し、シャッターの後面、後ろ側、裏側、または背後、或いは後方とはシャッターの火災区域に面した側面または避難路と反対方向を指し、また、前記の前面側からシャッターに向かって立った状態で、それぞれ左方向を左、右方向を右として説明する。
【００１１】
【発明の実施の形態】
つぎに本発明の実施の形態を添付図面に基づき更に詳細に説明するが、本発明は、添付図面に示された形態に限定されず特許請求の範囲に記載の要件を満たす実施形態の全てを含むものである。図１は、本発明に係るシート型防火または防煙用シャッターの実施例のうち、シャッターシート端縁と案内レールとの関係を示し、図２は、本発明に係るシート型防火または防煙用シャッターのウエイト部材端部と案内レールとの関係を示し、図３は、本発明に係るシート型防火または防煙用シャッターの床面との接触部を示す部分図である。そして、図４は、図３に示された部分をシャッターシート中間部で垂直断面にして左方から見た断面図、図５は、本発明に係る防火または防煙用シャッターの実施例の全体を前方から見た正面図、図６は、図５のシャッターのシャッターシートを巻取収納した状態、図７は、図５のシャッターを右方から見た拡大側面図、図８は、図５のシャッターのラッチ機構部分を右方側面から見た拡大側面図、図９は、図５のシャッターの巻取装置部分の部分拡大図、をそれぞれ示している。なお、図７において、２点鎖線はくぐり戸を開いた状態をラッチ機構を省略して示している。
【００１２】
図において、本発明に係る防火または防煙用のシャッター１は、通路２の垂直な左右両側壁３，３に沿って、通路２の水平の床面４近傍から天井壁５の天井開口５４を介してその上部までほぼ垂直に設置された１対の対向案内レール１０，１１と、案内レール１０，１１に沿って昇降可能に左右の両端縁部３２、３２が支持されたシャッターシート３０と、床面４と平行にシャッターシート３０の下端に密接して取り付けられ且つ両端部を案内レール１０，１１に沿って昇降可能に支持されたウエイト部材２０と、天井開口５４の上部に設置されたシャッターシート巻き取り用巻取装置５０とを備えている。
【００１３】
上記左右１対の対向案内レール１０，１１のうち、右側の案内レール１０は、天井壁５よりもやや下方位置の適宜の点を分割点１２として上下に分割されるとともに、側壁３に固定的に支持された上方側固定レール片１３と、側壁３に対し非固定的に接する下方側揺動レール片１４と、前記両レール片１３，１４を分割点１２で連結するヒンジ１５とを有してなり、ヒンジ１５から下方が前方に回動可能な揺動側案内レール１０とする。一方、図示左側の案内レール１１は、ほぼ全長を側壁３に固定的に支持された固定側案内レール１１とする。なお、揺動側案内レール１０の背後にはストッパー部材４２を設ける。このストッパー部材４２は、通路２の側壁３に固着するとともに揺動レール片１４が垂直状態つまり揺動レール片１４と固定レール片１３とが一直線になった状態で揺動レール片１４の背後に当接する当接部４３を備える。
【００１４】
一方、上記ウエイト部材２０は、幅方向の適宜の中間位置を分割点２４として左右に分割されるとともに、右側の揺動側案内レール１０に支持された揺動ウエイト片２５と、左側の固定側案内レール１１に支持された固定ウエイト片２６と、前記両ウエイト片２５，２６を分割点２４で連結するヒンジ２７とで構成し、ヒンジ２７から右方の揺動ウエイト片２５が前方へ回動可能な構造とする。
【００１５】
そして上記の両ヒンジ１５，２７は、いずれも前記案内レール１０とウエイト部材２０の前側面に取り付け、且つ、それぞれのヒンジピン（図示しない）の中心線が揺動側案内レール１０およびウエイト部材２０それぞれの分割点１２，２４を共有するシャッターシート３０と直交する仮想平面上のシャッターシート３０の面に平行な直線３６に一致するように取り付ける。これによって、シャッター１の前記直線３６の右下側即ち直線３６と揺動レール片１４と揺動ウエイト片２５とで囲まれた三角形部分をくぐり戸３７となし、くぐり戸３７はヒンジ１５，２７のそれぞれのヒンジピンを結ぶ直線３６を回動中心として前方に回動可能に構成する。
【００１６】
また、揺動側案内レール１０の揺動レール片１４背後の側面およびこれに向かい合う前記ストッパ部材４２との双方の部材間には、下方の床面４近傍に揺動レール片１４を吸着保持するマグネット４０を設けるとともに、床面４から適宜の高さの位置に揺動レール片１４の開放を規制する解除可能なラッチ機構４５を設ける。
【００１７】
更に、ウエイト部材２０の下端面には、左右案内レール１０，１１の内側面間とほぼ同幅の可撓性膜体を表裏に交互に所定幅で曲折させ且つシャッターシート３０の表裏各側から見てそれぞれ１つ以上の山折り部６２と谷折り部６３とをそれぞれ有し伸縮自在な形態に成形してなる下端シール部材６０を、山折り部６２と谷折り部６３がシャッターシート３０の表裏に向く方向でその上端６４をウエイト部材２０の下端に沿って密接支持するとともに、その下端６５は伸縮自在な自由端となるように取り付ける。
【００１８】
つぎに、上記構成からなるシャッター１の詳細構造について説明する。まず、左右１対の案内レール１０，１１は、互いに横断面が同一構造の柱状部材からなり、対向姿勢で左右の側壁３，３にそれぞれ配置される。そして各々の案内レール１０，１１は、その水平断面にて、略Ｕ字状の周壁と、該周壁の両端縁から周壁内のほぼ中心に向けＶ字状に延出する対向傾斜壁１７，１７と、該対向傾斜壁１７，１７の谷部に長手方向に沿って全長に亘って形成された開口部１８とを有し、且つ内部が中空の空間１６を備えて成形された柱状部材からなる。
【００１９】
そして、固定側案内レール１１は、開口部１８を通路２の内側に向け垂直姿勢で一方の側壁３に固着する。一方、揺動側案内レール１０については、天井壁５よりもやや下方位置の適宜の点を分割点１２として上方側固定レール片１３と下方側揺動レール片１４とに分割するとともに両レール片１３，１４を分割点１２においてヒンジ１５で連結して構成され、この揺動側レール１０の揺動レール片１４の下端が床面４近傍に位置するようにして開口部１８を通路の内側に向け、固定レール片１３を垂直姿勢で他方の側壁３に固着し、揺動レール片が前方に揺動可能にする。
【００２０】
なお、このヒンジ１５は、ヒンジピン（図示しない）の中心線が後述のウエイト部材２０の分割点２４に取り付けるヒンジ２７のヒンジピン（図示しない）と一直線になるよう、斜め下方に向く姿勢で案内レール１０に取り付ける。そして揺動側案内レール１０の揺動レール片１４が前方回動する際に揺動レール片１４および端部を揺動レール片１４に支持された後述の揺動ウエイト片２５のそれぞれの後方端が側壁３および床面と干渉しないよう、揺動レール片１４の側壁３と対向する側面および床面４と接する下端部には若干のすきまを確保し、この隙間にはそれぞれ不燃性の可撓性材料からなるスペーサー１４ａ，１４ｂを介在させる。
【００２１】
つぎにシャッターシート３０は、前記対向案内レール１０，１１内部の空間１６，１６間に亘る横幅と、天井壁５上部の巻取装置５０から床面４まで届く長さとを有するシート体３１と、このシート体３１の両端縁部３２，３２に沿って全長に亘りその表裏に重ねて配置し且つ外側端縁をシート体３１の端縁部３２に対し縫着にて密着した計４片の帯状部材３３とで構成する。該４枚の帯状部材３３は、案内レール１０，１１の内部の空間１６の奥行きよりもやや狭い幅に形成する。
【００２２】
そしてこのシャッターシート３０は、左右端の端縁縫着部３４，３４を案内レール１０，１１の開口部１８，１８にそれぞれ挿入し、帯状部材３３，３３の内側端即ち遊端部３５，３５がシート体３１から開くようにして、シート体３１と対面する面を案内レール１０，１１の対向傾斜壁１７，１７，・・の裏面にそれぞれ当接させる。これによって、シャッターシート３０の各端縁部３２それぞれの帯状部材３３，３３が、案内レール１０（，１１）の対向傾斜壁１７，１７の裏面に接して煙やガスなどの通過を遮るとともに、案内レール１０（，１１）の対向傾斜壁１７，１７先端が帯状部材３３の端縁縫着部３４と対峙して　　シャッターシート３０が案内レール１０（，１１）から抜け出さず且つ案内レール１０，１１内部の空間１６，１６に沿って昇降が可能に支持する。
【００２３】
シャッターシート３０のシート体３１と帯状部材３３は、それぞれ耐熱性の材料で形成する。例えば、ガラス繊維を密な組織に織り上げた織布やシリカクロスなどを基布としてこれにシリコーン樹脂またはフッ素樹脂などの耐熱樹脂をコーティングしてなる耐熱シート、またはそれに類する素材で形成すればよい。また、シート体３１の端縁部３２に帯状部材３３の端縁を取り付ける方法としては、縫着のほか、接着剤を用いて接着するか、表面にコーティングされたコーティング剤を利用し端縁部を押圧加熱して熱溶着させるか、あるいはこれらを組み合わせるなど適宜の方法で接着すればよい。
【００２４】
帯状部材３３を取り付ける際は、案内レール１０，１１の対向傾斜壁１７，１７への接触を良好にするため、遊端部３５がシート体３１に対し閉じ癖を備えるように取り付ける。なお、帯状部材３３は、必要幅の２倍の幅の帯状部材を長手方向に沿って半織りにし、この半織りにした織り目部分でシート体３１の端縁部を包む様にしてシート体３１を挟んで織り目に沿って縫着または接着する方法で取り付けてもよい。
【００２５】
つぎに、ウェイト部材２０は、両端がそれぞれ案内レール１０，１１の開口部１８，１８に挿入され且つその端部が案内レール１０，１１の対向傾斜壁１７，１７の裏面の傾斜に沿う方向に鉤状に曲折された帯板鋼からなる１対のバー２１，２１と、案内レール１０，１１の対向面間距離よりも若干短く且つ側面が直角の山形鋼からなる１対のアングル材２２、２２とを備えてなる。そして、前記バー２１，２１をシャッターシート３０のシート体３１下端の表裏にそれぞれ密接配置するとともに、アングル材２２，２２の一方の側面をそれぞれバー２１，２１の側面に当接させ且つ他の側面を床面４に向け水平に配置し、複数の取付ボルト２３によりシャッターシート３０のシート体３１をバー２１，２１の間に挟んでこれをアングル材２２，２２とともに締め付けシャッターシート３０の下端に密接固着する。シャッターシート３０の両端縁部３２、３２に縫着された帯状部材３３，３３，・・の遊端部３５，３５，・・側は、バー２１，２１両端の前記鉤状曲折部に連結すると都合がよい。そのようにすることで、シャッターシート３０の下降時に、帯状部材３３が案内レール１０，１１の対向傾斜壁１７，１７，・・の裏面に確実に接触して降下するように、ウエイト部材２０両端の鉤状曲折部が先導作用をする。
【００２６】
上記ウエイト部材２０は、前述のように、左右の幅方向の適宜に位置（図示においては通路２の中央よりもやや左の固定側案内レール１１寄りの位置）を分割点２４として左右に分割し、この分割点２４をヒンジ２７で連結する。更に詳しく説明すると、ウエイト部材２０は、前記分割点２４で揺動側案内レール１０側に支持された揺動ウエイト片２５と固定側案内レール１１に支持された固定側ウエイト片２６とに分割するとともに、この分割点２４には、シャッターシート表側に接するバー２１の左右断片が向かい合う端部にまたがってヒンジ２７を取り付け、揺動側ウエイト片２５が前方に向け揺動可能に固定側ウエイト片２６と連結する。そしてこのヒンジ２７が取り付けられた側のアングル材２２については、分割点２４の互いに向かい合う端部をそれぞれ若干短くカットし、揺動側ウエイト片２５が前方に回動した際にアングル材２２の左右の断片同士が互いに干渉しないようにする。
【００２７】
なお、このヒンジ２７は、ヒンジピン（図示しない）の中心線が前述の揺動側案内レール１０の分割点１２に取り付けるヒンジ１５のヒンジピン（図示しない）と一直線になるよう、斜め上方に向く姿勢でバー２２に取り付ける。
【００２８】
つぎに、マグネット４０は、通路２の側壁３に固着されたストッパー部材４２の前側に取り付けられ、揺動側案内レール１０のヒンジ１５よりも下方側の揺動レール片１４が上方側の固定レール片１３に対し一直線に懸下された状態、即ち揺動側レール片１４がストッパー部材４２と当接した状態において、揺動側レール片１４の後ろ側面を吸着保持する。マグネット４０はストッパ部材４２の床面近傍に取り付けるとともに、揺動側レール片１４は鋼などの強磁性材料で製作するとよいが、揺動側レール片１４を非磁性体の材料で製作している場合、揺動側レール片１４には前記マグネット４０の取り付け位置に対応する高さに強磁性材料からなる吸着片または前記マグネットと反対極性のマグネットを取り付ける方法を採ってもよい。なお前記マグネット吸着手段については、マグネットを揺動レール片１４側に取り付け、ストッパー部材４２側に強磁性材料を取り付けるようにしてもよい。
【００２９】
上記のストッパー部材４２は、揺動レール片１４の背後部が当接して揺動レール片１４の後方側への揺動を規制する部材であり、側端が通路２の側壁３に固着されるとともに、揺動側レール片１４を当接支持する当接部４３が前方に突出形成されている。このストッパー部材４２には、前記マグネット４０を取り付けるほか、後述のラッチ機構４５のラッチ受け具４７を取り付ける。
【００３０】
つぎに、ラッチ機構４５は、床面から適宜の高さの一の揺動側案内レール１０揺動レール片１４に、ラッチ機構４５の操作ハンドル４８を取り付けるとともに、下方進出付勢されたラッチ爪４６を操作ハンドル４８下方の揺動レール片１４に取り付け、該ラッチ爪４６と操作ハンドル４８とをロッド４９を介して連結する一方、ストッパー部材４２の前記ラッチ爪４６が対峙する位置には、ラッチ爪４６の先端部が係合するラッチ受け具４７を取り付けて構成する。ラッチ爪４６の前端は垂直面となるとともに、後方側面には先細の斜面が形成されている。一方、ラッチ受け具４７には、前端面が下方に向けて傾斜する斜面が形成されるとともにこの斜面後端は下方に向けて垂直に切り込まれている。また、操作ハンドル４８を操作すると、ロッド４９を介し、下方付勢されたラッチ爪４６を退動と進出動させることができる。
【００３１】
上記構成からなるラッチ機構４５は、操作ハンドル４８を前方に押す操作をすると、それに連動してロッド４９がラッチ爪４６が引き上げられ、ラッチ爪４６とラッチ受け具４７との係合が解除される。なお、操作ハンドルから手を離すとラッチ爪４６は付勢力で下方に進出動する。上記の要領でラッチ機構４５を解除してくぐり戸３７を前方に開き、人が通過した後はくぐり戸３７がその自重で自動的に閉動作をする。そしてくぐり戸３７の揺動レール片１４が垂直に近づくと、ラッチ爪４６の前記斜面がラッチ受け具４７の前記斜面と当接しラッチ爪４６が上方に押されるのでラッチ爪４６が退動し、揺動レール片１４が垂直となった位置でラッチ爪４６の斜面がラッチ受け具４７の斜面から外れラッチ爪４６は付勢力で下方に進出動し、ラッチ爪４６前端の前記垂直面がラッチ受け具４７の斜面後端の前記の垂直切り込みと当接してくぐり戸３７は係止保持される。
【００３２】
つぎに、巻取装置５０は、案内レール１０，１１の外端間に亘って天井壁５に貫通形成された天井開口５４の上方に水平に設置したローラー５１と、ローラー５１を駆動する駆動装置５２と、ローラー５１と駆動装置５２とを連結する減速機構としてのチェーン５３とを有してなる。
【００３３】
巻取装置５０のローラー５１の全長は、シャッターシート３０の全幅にほぼ等しくするか、或いは、シャッターシート３０の端縁部３２，３２に逢着された帯状部材３３の内側端間の距離よりも若干短くする。前者の場合は、シャッターシート３０の帯状部材３３をローラーの両端に重ねて巻き取るので、巻き取られたシャッターシート３０のシート体３１は帯状部材３３の２枚分の厚さだけ層間隙間が生じる形態で巻き取られるが、帯状部材３３が適度な幅を有しているので巻取に乱れが発生することがない。一方、後者の場合は、シャッターシート３０のシート体３１が互いに層間隙間を生じない形態で密に巻き取られ、帯状部材３３はローラー５１の両端から外れて位置するため、シャッターシート３０の帯状部材３３の部分は下層側がローラーの軸心方向に押され、上層側が下層側から若干押し上げ方向の反発を受ける形態で巻き取られるが、シャッターシートの巻取長さが通路２の高さとほぼ等しい長さで、この長さは通常約２ｍないし３ｍ前後であり、巻き層数が異常過多にならない程度にローラー５１の径を設定することで乱れずに整然と巻き取られるようにすることが容易である。
【００３４】
なお、天井開口５４には、左右幅方向全幅に亘り中央にスリット５６が形成された可撓性材料からなるシール部材５５を天井壁５に密接して取り付け、該スリット５６をシャッターシート３０が通過して昇降する様にする。これにより、シール部材５５がシャッターシート３０の表裏に接して煙やガス天井裏に漏洩したりシャッター１の前方に漏洩することが防止できる。シール部材５５は、左右の案内レール１０，１１に接する様に天井壁５に密接して取り付けてもよいし、或いは図示のように案内レール１０，１１の上端を交わしてその外側上部を覆う枠体を天井壁５に取り付けその枠体の上面にシール部材５５を取り付けると更に好ましい。添付図におけるこのシール部材５５と天井壁５の開口５４の間の枠体で囲まれた部分にはシャッターシートを巻き取った際にウエイト部材の上部が収納されるスペースとなる。
【００３５】
つぎに、下端シール部材６０は、左右案内レール１０，１１の内側面間とほぼ同幅の例え前記シャッターシート３０と同じ材料などからなる可撓性の膜体を用いて、ウエイト部材２０のアングル材２２の端面間内の幅で表裏に交互に曲折させ、且つシャッターシート３０の表裏各側から見てそれぞれ１つ以上の山折り部６２と谷折り部６３とをそれぞれ備えた伸縮自在な蛇腹状体に成形して構成する。そして該下端シール部材６０を、山折り部６２と谷折り部６３がシャッターシート３０の表裏に向く方向でその上端６４の折り曲げられた部分をウエイト部材２０のバー２１，２１間にシャッターシート３０のシート体３１とともに挟んで密接して取り付ける。下端シール部材６０の取り付け方法は、上記に限らず、例えば、ウエイト部材２０のアングル材２２下面に上端６４を接着または押さえ部材を介してネジ止めするなど適宜の方法で取り付けてもよい。
【００３６】
つぎに、以上の構成からなるシャッター１の作用について説明する。火災発生時には、巻取装置５０を操作してシャッターシート３０を案内レール１０，１１に沿って下降させ、ウェイト部材２０下端の下端シール部材６０の自由端の下端６５を床面４に着床させ、更に下端シール部材６０がウエイト部材で若干押圧される程度まで下降させ通路２を遮断閉鎖する。避難者がこの閉鎖されたシャッター１を通過する際には、ラッチ機構４５の操作ハンドル４８を操作してラッチを解除し、ハンドル４８を握ったままマグネット４０の吸着力を超える力で前方に押すと、くぐり戸３７が前方に回動して三角形の避難口が開口するので、この避難口をくぐり抜けて避難する。この際に、下端シール部材６０がウエイト部材２０の分割点２４で折れ曲がるが、下端シール部材６０はそれ自体の可撓性と前後に折り曲げてあることにより、ウエイト部材２０の回動に追従して自由に撓むことができる。そして避難後はくぐり戸３７がその自重で自然に閉動作をして、くぐり戸が垂直に戻ったときにマグネット４０がくぐり戸３７の揺動レール片１４下方を吸着保持し、同時にラッチ機構４５が作動して揺動レール片１４を自動ロックし、揺動レール片１４を背後からストッパー部材４２により支持され、くぐり戸３７の後方側への揺動を阻止する。
【００３７】
この状態で、シャッターシートに風圧が作用すると、シャッターシート３０が膨らんで、案内レール１０，１１の対向傾斜壁１７，１７の端部がシャッターシート３０の帯状部材３３，３３端縁縫着部３４，３４に食い込んで案内レールからの抜け出しを防止するとともに、全ての帯状部材３３が案内レールの対向傾斜壁１７と密に接する。一方、下端シール部材６０に作用する風圧が谷折り部６３ぶを膨らませて下端シール部材６０を上下方向に広げる様に作用し、上端６４がウエイト部材２０で拘束されているため下端６５が床面４に対し更に強く密接する。以上の作用に伴って、シャッターシート３０と案内レール１０，１１との隙間、および、ウエイト部材２０と床面４との隙間の気密性が高まり、煙やガスのシャッター１からの漏洩を防止することができる。なお、天井開口５４とシャッターシート３０との隙間はシール部材５５で気密が保たれる。
【００３８】
なお、このシャッター１は、くぐり戸３７の自重がウエイト部材２０の分割点２４と揺動側案内レール１０の分割点１２の両方のヒンジ２７，１５で斜めの直線３６を回動中心として支持されているため、軽い操作力で開閉が可能である。そして、このヒンジ２７，１５の位置関係を、床面４から車椅子の高さにおけるくぐり戸３７の開口幅が車椅子の通過に支障のない程度の幅が確保されるように定めておくことで、車椅子に乗った身体障害者でも容易に押し開けて避難することができる。
【００３９】
本発明の請求項に記載の発明の構成は、シャッターシートが左右案内レールの開口に沿って昇降に支持されたシート型シャッターに対して適用される。上記説明では、そのうち、案内レールの一方とウェイト部材とを適宜の分割点で固定支持された側と可動支持された側とに分割して構成されたくぐり戸を備えた防火または防煙用シャッターを実施例として説明した。しかし、本発明の請求項に記載した構成に係る実施形態としては、このくぐり戸付きシャッターに限定するものではない。即ち図示は省略するが、本発明の請求項に記載した構成に係る実施形態としては、例えば、左右の１対の案内レールが、それぞれ、側壁等の固定部に固定支持された上部案内レール部材と、これに対し前後方向に揺動可能に連結支持された可動案内レール部材とで構成され、シャッターの下方部分を全幅に亘って前方に跳ね上げる方式の防火または防煙シャッターに対しても適用が可能であるし、また、左右１対の案内レールが前後いずれの方向に対しても揺動可能に側壁等に支持された構造からなる防火まらは防煙シャッターに対しても適用が可能であり、更に、案内レールが揺動しない固定の１対の案内レールに沿ってシャッターシートが昇降する方式の防火または防煙シャッターに対しても適用が可能である。
【００４０】
【発明の効果】
以上にしてなる請求項１に係る防火・防煙シャッターは、シャッターシート左右両端の各帯状部材をシート体に対面する面が案内レールの対向傾斜壁裏面にそれぞれ当接して開口部に沿って昇降可能に支持したので、シャッターシートに風圧が作用した場合、帯状部材のシート端縁側のシート体との縫着等による密着部に案内レールの対向傾斜壁端縁が食い込む形でシート体が支持され、シート体が案内レールから抜け出ることがない。そして煙やガスが案内レール内の空間を迂回して避難路側に漏れ出すには、案内レールの対向傾斜壁の裏面と接する帯状部材でシールされた箇所を２回通過する必要があるため、この２重シール構造で煙やガスの通過漏洩をほぼ確実に防止することができる。しかも、案内レールのシャッターシート端縁部支持構造が、シート体端縁部に沿って表裏に帯状部材を重ねそのシート体端縁側を縫着等の方法で密着しただけの薄型構造であるため、このシャッターシートを昇降装置の巻取ローラーに巻き取る際に極端に巻き太りすることがなく巻取ローラーに整然と巻取収納することが可能であり、シャッターシートの昇降がスムーズに行え且つ巻取ローラー設置のための大きなスペースを必要としない、などといった作用効果を奏する。また、本発明に係る案内レールは単純な曲げ加工のみで成形し安価に製作可能な構造であり、従来例のようにシール部に蝶番など可動部材を用いていないので信頼性も高いといった効果も備えている。
【００４１】
また、本発明の請求項２に係る防火・防煙シャッターは、シャッターシート下端に密着したウエイト部材の両端部前後に案内レールの対向傾斜壁の裏面の傾斜に沿う方向の鉤状曲折部をそれぞれ形成し、該鉤状曲折部にシャッターシート両端縁表裏の帯状部材をそれぞれ連結したので、シャッターシートが昇降装置用巻取ローラーから繰り出されて下降展張する際に、その先導部材としてのウエイト部材の両端鉤状部が、シャッターシート両端縁の帯状部材を確実に案内レールの対向傾斜壁裏面に当接するように案内し、気密状態を保ちつつスムーズに案内する。そして、大きな風圧が作用した際に案内レールから外れる危険性の最も高いシート体下端部を案内レールの対向傾斜壁で係止し、シート体が案内レールから抜け出さないように支持するといった作用効果を奏する。
【００４２】
また、本発明の請求項３に係る防火・防煙シャッターは、シャッターシート下端のウエイト部材の下端にシャッターシートの表裏各側から見てそれぞれ少なくとも各１つ以上の山折り部と谷折り部とを有する形態の下端シール部材を密接支持したので、シャッターシートが下降した際に下端シール部材の他端が床面に接してウエイト部材の自重で床面からの浮き上がりが規制され、床面との隙間を確実に塞ぐことができる。そして、火災時にシャッターが煙やガスなどの風圧を受けた場合は、シール部材の谷折り側に作用する風圧でシール部材が上下に広がって膨らむ作用をするので、ウエイト部材の下端面と床面との間に隙間を生ずることが無く、煙やガスの避難路側への漏れ出しを規制するといった作用効果を奏する。
【００４３】
本発明に係る防火シャッターのシャッターシート支持構造は、シャッターシート等の材料として使用場所に応じて法律等で定められた耐熱温度と耐久時間の基準に適合する耐熱材を用いることにより、建物の仕切壁に設けられた出入り口や通路の両壁端に取り付けるほか、例えばエレベータの昇降扉の扉枠に取り付けるなどして、火災時の煙やガスの拡散を防いだり火炎を遮断する手段として用いることができる。
【図面の簡単な説明】
【図１】本発明に係るシート型防火または防煙用シャッターの実施例におけるシャッターシート端縁と案内レールとの関係を示す断面図である。
【図２】本発明に係るシート型防火または防煙用シャッターにおけるウエイト部材端部と案内レールとの関係を示す断面図である。
【図３】本発明に係るシート型防火または防煙用シャッターの床面との接触部を示す部分図である。
【図４】図３に示された部分をシャッターシート中間部で垂直断面にして左方から見た断面図である。
【図５】本発明に係る防火または防煙用シャッターの実施例の全体を示し、前方から見た正面図である。
【図６】図５のシャッターのシャッターシートを巻取った状態を示す図である。
【図７】図５のシャッターを右方から見た拡大側面図で、２点鎖線はくぐり戸を開いた状態をラッチ機構を省略して示す。
【図８】図５のシャッターのラッチ機構部分を右方側面から見た拡大側面図である。
【図９】図５のシャッターの巻取装置部分を示す部分拡大図である。
【符号の説明】
１　シャッター
２　通路
３　側壁（壁端）
４　床面
５　天井壁
１０　案内レール（揺動側案内レール）
１１　案内レール（固定側案内レール）
１２　分割点
１３　固定レール片
１４　揺動レール片
１４ａ，１４ｂ　スペーサー
１５　ヒンジ
１６　空間
１７　対向傾斜壁
１８　開口部
２０　ウエイト部材
２１　バー
２１ａ　鉤状曲折部
２２　アングル材
２３　取付ボルト
２４　分割点
２５　揺動ウエイト片
２６　固定ウエイト片
２７　ヒンジ
３０　シャッターシート
３１　シート体
３２　端縁部
３３　帯状部材
３４　端縁縫着部
３５　遊端部
３６　直線
３７　くぐり戸
４０　マグネット
４２　ストッパー部材
４３　当接部
４５　ラッチ機構
４６　ラッチ爪
４７　ラッチ受け具
４８　操作ハンドル
４９　ロッド
５０　巻取装置
５１　ローラー
５２　駆動装置
５３　チェーン
５４　天井開口
５５　シール部材
５６　スリット
６０　下端シール部材
６１　膜体
６２　山折り部
６３　谷折り部
６４　上端
６５　下端
【図１】
2004108018.tif 000003
【図２】
2004108018.tif 000004
【図３】
2004108018.tif 000005
【図４】
2004108018.tif 000006
【図５】
2004108018.tif 000007
【図６】
2004108018.tif 000008
【図７】
2004108018.tif 000009
【図８】
2004108018.tif 000010
【図９】
2004108018.tif 000011